(57)【要約】【課題】アクチュエータがダストカバー部を備え、該ダストカバー部によって不純物がＦＰＣ用コネクタの内部に進入することを防止することができ、隣接する端子同士や配線同士の間で短絡が発生することがなく、信頼性を向上させることができるようにする。【解決手段】挿入口を備えるハウジングと、コンタクト片及びテール部を備える端子と、姿勢変化して第１位置及び第２位置になるようにハウジングに取り付けられたアクチュエータであって、第２位置においてＦＰＣを前記コンタクト片に押し付けるカム部、第１位置においてＦＰＣの挿入方向とほぼ平行となり、第２位置においてＦＰＣの挿入方向とほぼ直角となる本体部、並びに、第２位置においてハウジングの挿入口と反対側の端部及びテール部を覆い隠すダストカバー部を備えるアクチュエータとを有する。【選択図】図１
2006048977.tif 000002
【特許請求の範囲】
【請求項１】
（ａ）ＦＰＣを挿入する挿入口を備えるハウジングと、
（ｂ）該ハウジングに装填され、前記ＦＰＣの配線と電気的に接続するコンタクト片、及び、前記挿入口と反対側に突出するテール部を備える端子と、
（ｃ）ＦＰＣを挿入可能な第１位置と挿入されたＦＰＣを前記コンタクト片に押し付ける第２位置との間を姿勢変化可能なアクチュエータであって、前記第２位置において前記ＦＰＣを前記コンタクト片に押し付ける押圧部、前記第１位置において前記ＦＰＣの挿入方向とほぼ平行となり、前記第２位置において前記ＦＰＣの挿入方向とほぼ直角となる本体部、並びに、前記第２位置において前記ハウジングの前記挿入口と反対側の端部及び前記テール部を覆い隠すダストカバー部を備えるアクチュエータとを有することを特徴とするＦＰＣ用コネクタ。
【請求項２】
前記ダストカバー部は、前記第１位置において前記ＦＰＣの挿入方向とほぼ平行になる表面が平滑な平板状の実装用吸着エリアを備える請求項１に記載のＦＰＣ用コネクタ。
【請求項３】
前記本体部は、前記第１位置において前記ＦＰＣの挿入方向とほぼ平行な方向に貫通する貫通孔を備える請求項１又は２に記載のＦＰＣ用コネクタ。
【請求項４】
前記ハウジングは両側部に形成された第１係合凹部を備え、前記本体部は両側部の内壁面に形成された第１係合凸部を備え、前記アクチュエータが第１位置にあるときに前記第１係合凹部と第１係合凸部とが係合し、前記アクチュエータの第２位置への姿勢変化が防止される請求項１〜３のいずれか１項に記載のＦＰＣ用コネクタ。
【請求項５】
前記ハウジングは両側部に形成された第２係合凹部を備え、前記本体部は両側部の内壁面に形成された第２係合凸部を備え、前記アクチュエータが第２位置にあるときに前記第２係合凹部と第２係合凸部とが係合し、前記アクチュエータの第１位置への姿勢変化が防止される請求項１〜３のいずれか１項に記載のＦＰＣ用コネクタ。
【発明の詳細な説明】
【技術分野】
【０００１】
本発明は、ＦＰＣ用コネクタに関するものである。
【背景技術】
【０００２】
従来、フレキシブル回路基板（ＦＰＣ：Ｆｌｅｘｉｂｌｅ  Ｐｒｉｎｔｅｄ  Ｃｉｒｃｕｉｔ）、フレキシブルフラットケーブル（ＦＦＣ：Ｆｌｅｘｉｂｌｅ  Ｆｌａｔ  Ｃａｂｌｅ）等と称される平板状可撓（とう）性ケーブルを接続するためにＦＰＣ用コネクタが使用されている。なお、本明細書においては、フレキシブル回路基板、フレキシブルフラットケーブル等の平板状可撓性ケーブルを「ＦＰＣ」と言うこととする。
【０００３】
そして、前記ＦＰＣ用コネクタは、ＦＰＣを挿入するための挿入口を備えるハウジングと、該ハウジングに並列して取り付けられ、コンタクト片が前記挿入口から挿入されたＦＰＣの面と対向して延在する複数個の端子と、前記挿入口から挿入されたＦＰＣを前記端子のコンタクト片に向けて押圧するアクチュエータとを有する。該アクチュエータは、姿勢変化軸を中心として開位置と閉位置との間で姿勢変化可能となるようにハウジングに取り付けられ、開位置にあるときに前記ＦＰＣのハウジングの挿入口への挿入及び取り外しを可能とし、閉位置にあるときに前記ＦＰＣを端子のコンタクト片に向けて押圧して取り外しを不能とするようになっている（例えば、特許文献１参照。）。
【０００４】
この場合、アクチュエータを閉位置とすると、該アクチュエータに形成された押圧部が前記ＦＰＣを端子のコンタクト片に向けて押圧するので、前記ＦＰＣの接点と端子のコンタクト片とが所定の接触圧で係合し、電気的な接続が形成される。
【特許文献１】実開平６−１７１６５号公報
【発明の開示】
【発明が解決しようとする課題】
【０００５】
しかしながら、前記従来のＦＰＣ用コネクタは、基板に実装されて使用される場合に、端子と基板の配線との電気的接続部や端子のコンタクト片とＦＰＣの接点との電気的接続部にカス、ダスト等の不純物が進入して、隣接する端子同士や配線同士の間で短絡（ショートサーキット）が発生してしまうことがある。
【０００６】
例えば、プラズマディスプレイテレビのような薄型ディスプレイ装置に使用される基板を薄型ディスプレイ装置の装置本体に固定する際には、前記基板をほぼ垂直な状態とし、タッピングビスを使用して装置本体にねじ止めするようになっている。ところが、タッピングビスによって基板の孔（あな）にＦＰＣコネクタを固定する際、削りカスが発生する。この場合、前記基板にはＦＰＣ用コネクタが実装され、ＦＰＣが接続された状態となっている。そのため、前記削りカスが、特に、孔開けが行われる位置よりも下方において実装されているＦＰＣ用コネクタに降りかかり、該ＦＰＣ用コネクタの端子と基板の配線との電気的接続部や端子のコンタクト片とＦＰＣの接点との電気的接続部に進入し、隣接する端子同士や配線同士の間で短絡を引き起こしてしまう。これにより、薄型ディスプレイ装置内の回路が電気的に破壊され、多額の損失が発生する。
【０００７】
本発明は、前記従来のＦＰＣ用コネクタの問題点を解決して、アクチュエータがダストカバー部を備え、該ダストカバー部によって不純物がＦＰＣ用コネクタの内部に進入することを防止することができ、隣接する端子同士や配線同士の間で短絡が発生することがなく、信頼性を向上させることができるＦＰＣ用コネクタを提供することを目的とする。
【課題を解決するための手段】
【０００８】
そのために、本発明のＦＰＣ用コネクタにおいては、ＦＰＣを挿入する挿入口を備えるハウジングと、該ハウジングに装填され、前記ＦＰＣの配線と電気的に接続するコンタクト片、及び、前記挿入口と反対側に突出するテール部を備える端子と、ＦＰＣを挿入可能な第１位置と挿入されたＦＰＣを前記コンタクト片に押し付ける第２位置との間を姿勢変化可能なアクチュエータであって、前記第２位置において前記ＦＰＣを前記コンタクト片に押し付ける押圧部、前記第１位置において前記ＦＰＣの挿入方向とほぼ平行となり、前記第２位置において前記ＦＰＣの挿入方向とほぼ直角となる本体部、並びに、前記第２位置において前記ハウジングの前記挿入口と反対側の端部及び前記テール部を覆い隠すダストカバー部を備えるアクチュエータとを有する。
【０００９】
本発明の他のＦＰＣ用コネクタにおいては、さらに、前記ダストカバー部は、前記第１位置において前記ＦＰＣの挿入方向とほぼ平行になる表面が平滑な平板状の実装用吸着エリアを備える。
【００１０】
本発明の更に他のＦＰＣ用コネクタにおいては、さらに、前記本体部は、前記第１位置において前記ＦＰＣの挿入方向とほぼ平行な方向に貫通する貫通孔（こう）を備える。
【００１１】
本発明の更に他のＦＰＣ用コネクタにおいては、さらに、前記ハウジングは両側部に形成された第１係合凹部を備え、前記本体部は両側部の内壁面に形成された第１係合凸部を備え、前記アクチュエータが第１位置にあるときに前記第１係合凹部と第１係合凸部とが係合し、前記アクチュエータの第２位置への姿勢変化が防止される。
【００１２】
本発明の更に他のＦＰＣ用コネクタにおいては、さらに、前記ハウジングは両側部に形成された第２係合凹部を備え、前記本体部は両側部の内壁面に形成された第２係合凸部を備え、前記アクチュエータが第２位置にあるときに前記第２係合凹部と第２係合凸部とが係合し、前記アクチュエータの第１位置への姿勢変化が防止される。
【発明の効果】
【００１３】
本発明によれば、ＦＰＣ用コネクタは、アクチュエータがダストカバー部を備えている。そのため、該ダストカバー部によって不純物がＦＰＣ用コネクタの内部に進入することを防止することができ、隣接する端子同士や配線同士の間で短絡が発生することがなく、信頼性を向上させることができる。
【発明を実施するための最良の形態】
【００１４】
以下、本発明の実施の形態について図面を参照しながら詳細に説明する。
【００１５】
図１は本発明の実施の形態におけるＦＰＣ用コネクタを示す第１の斜視図でありアクチュエータが第１位置にあるときの斜め上前方から観た図、図２は本発明の実施の形態におけるＦＰＣ用コネクタを示す第２の斜視図でありアクチュエータが第１位置にあるときの斜め上後方から観た図、図３は本発明の実施の形態におけるＦＰＣ用コネクタを示す第３の斜視図でありアクチュエータが第２位置にあるときの斜め上前方から観た図、図４は本発明の実施の形態におけるＦＰＣ用コネクタを示す第４の斜視図でありアクチュエータが第２位置にあるときの斜め上後方から観た図、図５は本発明の実施の形態におけるＦＰＣ用コネクタのアクチュエータを示す斜視図であり斜め下後方から観た図、図６は本発明の実施の形態におけるＦＰＣ用コネクタのハウジングを示す斜視図であり斜め上前方から観た図である。
【００１６】
図１〜３において、１０は本実施の形態におけるＦＰＣ用コネクタであり、図示されない基板に実装されてＦＰＣを電気的に接続するために使用される。なお、本実施の形態において、ＦＰＣは、「背景技術」の項において説明したように、一般的にＦＰＣと称されるフレキシブル回路基板だけでなく、ＦＦＣと称されるフレキシブルフラットケーブルも含めた平板状可撓性ケーブルのことを意味する。また、本実施の形態において、ＦＰＣ用コネクタ１０の各部の構成及び動作を説明するために使用される上、下、左、右、前、後等の方向を示す表現は、絶対的なものでなく相対的なものであり、ＦＰＣ用コネクタ１０が図に示される姿勢である場合に適切であるが、ＦＰＣ用コネクタ１０の姿勢が変化した場合には姿勢の変化に応じて変更して解釈されるべきものである。
【００１７】
ここで、前記ＦＰＣ用コネクタ１０は、合成樹脂等の絶縁材によって一体的に形成されたハウジング３１と、合成樹脂等の絶縁材によって一体的に形成され、前記ハウジング３１に姿勢変化可能に取り付けられたアクチュエータ１１とを有する。すなわち、該アクチュエータ１１は、姿勢変化して第１位置及び第２位置になるように前記ハウジング３１に取り付けられている。
【００１８】
そして、該ハウジング３１は、下部３２、上部３５、並びに、前記下部３２及び上部３５の間に形成された前方（図１及び３における左斜め下方）から図示されないＦＰＣの端部を挿入するための開口部である挿入口３３を有し、該挿入口３３には金属製の端子４１が装填される端子受入溝３４が複数形成されている。該端子受入溝３４は、例えば、ピッチ約０．５〔ｍｍ〕で７０本程度形成され、各端子受入溝３４には端子４１が１つずつ装填されるようになっている。なお、必ずしもすべての端子受入溝３４に端子４１が装填される必要はなく、ＦＰＣの配線の配列に対応させて、端子４１を適宜省略することができる。また、図においては、端子受入溝３４及び端子４１が多数であるため、ハウジング３１の両側近傍を除いて、端子受入溝３４及び端子４１の図示が省略されている。
【００１９】
さらに、前記ハウジング３１の両側部には、アクチュエータ１１に形成された後述される、第１係合凸部２３ｂ、第２係合凸部２３ａ及び係合当接部２５とそれぞれ係合する第１係合凹部３７ｂ、第２係合凹部３７ａ及び係合当接部３６が形成されている。また、前記ハウジング３１の前方（図１及び３における左斜め下方）寄りの両側下部には、金属製のネイル５１が取り付けられている。そして、該ネイル５１は金属板を加工したものであり、ハウジング３１の中心方向に突出する係合突出部５２を有する。
【００２０】
また、前記アクチュエータ１１は、本体部１３の前方（図５における左下方）寄りの部分における下面に、アクチュエータ１１が第２位置としての閉位置になったときに、前記挿入口３３から挿入されたＦＰＣを下方、すなわち、前記端子受入溝３４内に装填された端子４１の後述される下腕ビーム４３の方向に向けて押圧する複数の押圧部２２を有する。また、該押圧部２２はアクチュエータ１１が開位置となったときにはＦＰＣの挿入を可能にする。なお、前記押圧部２２の間には、前記端子４１の後述される上腕ビーム４４を収容するための収容溝２１が複数形成されている。該収容溝２１の数及び位置は、前記端子受入溝３４と対応する。また、前記本体部１３は、アクチュエータ１１が閉位置になったときに前記ＦＰＣの挿入方向とほぼ平行になり、アクチュエータ１１が開位置になったときに前記ＦＰＣの挿入方向とほぼ直角になる。
【００２１】
そして、前記本体部１３の後方（図５における右上方）端部には、アクチュエータ１１が閉位置になったときに前記ハウジング３１の後方（図４における右下方）、すなわち、前記挿入口３３と反対側の端部及び後述されるテール部４２を覆い隠すダストカバー部１２が形成されている。該ダストカバー部１２は、長方形で表面が平滑な平板状の実装用吸着エリア１５、該実装用吸着エリア１５の周囲を囲むように形成された凹部であるダストプール部１７、該ダストプール部１７の周囲を囲む凸状の凸壁部１６、及び、該凸壁部１６の一部であり、凸壁部１６の他の部分よりも後方に突出する指掛け部１８を有する。なお、該指掛け部１８は、アクチュエータ１１が閉位置になったときにダストカバー部１２の上縁に沿って実装用吸着エリア１５の両側に位置するように形成されることが望ましい。これにより、オペレータが手指で操作して、閉位置にあるアクチュエータ１１を第１位置としての開位置にまで姿勢変化させる際に、オペレータの手指を指掛け部１８に容易に掛けることができ、前記アクチュエータ１１を閉位置から開位置にまで容易に姿勢変化させることができる。
【００２２】
また、前記本体部１３には、開位置において前記ＦＰＣの挿入方向とほぼ平行な方向に貫通する貫通孔１４が、複数個形成されている。該貫通孔１４の形状、大きさ、数等は任意に設定することができるが、本実施の形態においては、５個形成されている。さらに、前記本体部１３の両側部の内壁面には、前記ハウジング３１の第１係合凹部３７ｂ、第２係合凹部３７ａと係合する第１係合凸部２３ｂ及び第２係合凸部２３ａが形成され、前記本体部１３の前方（図３における左下方）端部の両側部には、前記ハウジング３１の係合当接部３６と係合する係合当接部２５が形成されている。また、前記本体部１３の両側部の外壁面には、前記ネイル５１の係合突出部５２と係合する第３係合凸部２４ａ及び第４係合凸部２４ｂが形成されている。
【００２３】
そして、ＦＰＣ用コネクタ１０は、図１〜４における下方に配設される後述される基板５５の面上に実装される。この場合、前記ネイル５１の下面が前記基板５５の面上に形成された接続パッドにはんだ付けによって接続され、また、前記端子４１の後端に突出するテール部４２が前記基板５５の面上に形成された配線にはんだ付けによって接続される。これにより、ハウジング３１が前記基板５５の面上に固定されるとともに、端子４１のそれぞれが対応する配線に電気的に接続されて電気的接続部を形成する。
【００２４】
次に、基板５５に実装されたＦＰＣ用コネクタ１０の動作について説明する。
【００２５】
図７は本発明の実施の形態におけるアクチュエータが第１位置にあるときのＦＰＣ用コネクタの内部を示す第１の断面図であり図１のＡ−Ａ矢視断面図、図８は本発明の実施の形態におけるアクチュエータが第２位置にあるときのＦＰＣ用コネクタの内部を示す第１の断面図であり図３のＣ−Ｃ矢視断面図、図９は本発明の実施の形態におけるアクチュエータが第１位置にあるときのＦＰＣ用コネクタの内部を示す第２の断面図であり図１のＢ−Ｂ矢視断面図、図１０は本発明の実施の形態におけるアクチュエータが第２位置にあるときのＦＰＣ用コネクタの内部を示す第２の断面図であり図３のＤ−Ｄ矢視断面図である。
【００２６】
本実施の形態において、端子４１は金属板を打ち抜くことによって形成され、２種類の形状のものが使用され、ハウジング３１には、２種類の形状の端子４１がハウジング３１の幅方向に交互に配列されるように装填される。ここでは、偶数番目に配列される端子４１を偶数極端子４１Ａ（第２の端子）とし、奇数番目に配列される端子４１を奇数極端子４１Ｂ（第１の端子）として説明する。なお、符号の数字に添える文字Ａ及びＢは、偶数番目と奇数番目とで形状が相違する部材についてのみ付与することとする。さらに、偶数番目及び奇数番目の部材を統合的に説明する場合には文字Ａ及びＢを使用しないものとする。
【００２７】
図７及び８は、偶数極端子４１Ａが装填されている部分の断面図である。なお、ネイル５１の下面が基板５５の面上に形成された図示されない接続パッドにはんだ付けによって接続され、テール部４２が前記基板５５の面上に形成された図示されない配線にはんだ付けによって接続された状態が示されている。そして、偶数極端子４１Ａは、概略Ｕ字形状を有し、上腕ビーム４４Ａ及び下腕ビーム４３が端子受入溝３４内において前方（図７及び８における左方）に向かって延在している。なお、前記偶数極端子４１Ａは、ハウジング３１の後方（図７及び８における右方）から端子受入溝３４内に挿入され、該端子受入溝３４の床面及び天井面を構成する下部３２の上面及び上部３５の下面によって、上下方向から挟まれて固定されている。
【００２８】
ここで、前記下腕ビーム４３は、図示されないＦＰＣの配線と電気的に接続するコンタクト片として機能するものであり、その先端（図７及び８における左端）近傍には上方に突出するコンタクト部４３ａが形成されている。なお、前記ＦＰＣは、配線が表面に露出した面が下方を向くようにしてハウジング３１の挿入口３３に挿入されるものとする。
【００２９】
また、前記上腕ビーム４４Ａの先端近傍には、上向きに開放する凹状のストッパーピン係合部４５Ａが形成されている。そして、アクチュエータ１１のストッパーピン２６Ａが該ストッパーピン係合部４５Ａ内を移動可能となっている。なお、偶数番目の端子受入溝３４に対応するアクチュエータ１１の収容溝２１に配設されたストッパーピン２６Ａは、断面が円形となっている。
【００３０】
そして、図７に示されるように、アクチュエータ１１が第１位置としての開位置にある状態において、ＦＰＣがハウジング３１の挿入口３３に挿入される。続いて、オペレータが前記アクチュエータ１１を時計回り方向に姿勢変化させ、図８に示されるような第２位置としての閉位置にある状態とする。これにより、押圧部２２が回転し、その押圧面が下方向に移動し、図示されないＦＰＣの上面に当接して下方に向いた力を付与し、ＦＰＣをコンタクト片としての下腕ビーム４３に押し付ける。これにより、前記ＦＰＣの下側の表面において露出している配線が表面に露出した面をコンタクト部４３ａに当接して電気的接続部が形成され、ＦＰＣの配線と偶数極端子４１Ａとが電気的に接続される。
【００３１】
また、前記アクチュエータ１１が、図８に示されるような閉位置にある状態になると、ダストカバー部１２がハウジング３１の後方、すなわち、挿入口３３と反対側の端部及びテール部４２を覆い隠す。そのため、ハウジング３１の後方から不純物がＦＰＣ用コネクタ１０の内部に進入することがないので、テール部４２と基板５５の配線との電気的接続部や、コンタクト部４３ａとＦＰＣの配線との電気的接続部に不純物が進入することを防止することができる。そのため、不純物によって隣接する端子４１同士や配線同士が短絡することがない。
【００３２】
特に、基板５５を、図８に示されるような水平な状態でなく、垂直な状態に配置して前記ハウジング３１の後方が上を向くようにした場合、空気中のダスト等の不純物が落下してきても、前記ダストカバー部１２によって不純物の進入を防止することができる。また、前記「発明が解決しようとする課題」の項において説明したように、基板５５を垂直な状態としてタッピングビスを使用してねじ止めすると削りカスが発生し、該削りカスがＦＰＣ用コネクタ１０にハウジング３１の後方から、すなわち、上方から降りかかることが考えられるが、このような場合であっても、前記ダストカバー部１２によって削りカス等の不純物の進入を防止することができる。
【００３３】
さらに、前述したように、ダストカバー部１２は、凸壁部１６に周囲を囲まれた凹部であるダストプール部１７を有する。そして、基板５５を垂直な状態とすると、前記ダストプール部１７が上を向いた状態となる。そのため、上方から降りかかってきた削りカス等の不純物は、前記ダストプール部１７内に収容される。さらに、該ダストプール部１７は凹部であって凸壁部１６に周囲を囲まれているので、ダストプール部１７内に収容された不純物は、ダストプール部１７の外へこぼれ出ることがない。そのため、前記ダストカバー部１２によってＦＰＣ用コネクタ１０への進入を防止された不純物が拡散して他の電気的接続部に進入することも防止することができる。
【００３４】
なお、図８に示される例においては、ダストカバー部１２と基板５５の表面との間にわずかな隙（すき）間が存在するが、該隙間は不可避的に発生する微小な隙間であって、不純物の進入防止に実質的な影響を及ぼすものではない。すなわち、隣接する端子４１同士や配線同士の短絡防止という観点からすると、隣接する端子４１同士や配線同士を接続してしまう程度の大きさを有する不純物、例えば、端子４１や配線のピッチが０．５〔ｍｍ〕である場合には０．３〔ｍｍ〕程度かそれ以上の大きさである削りカス等の不純物が問題となる。そして、前記ピッチに比較して相当に微小であって前記隙間よりも小さな不純物は、ＦＰＣ用コネクタ１０の内部に進入しても、隣接する端子４１同士や配線同士の短絡を引き起こす恐れはほとんどないと考えられる。
【００３５】
次に、図９及び１０を参照して、奇数極端子４１Ｂが装填されている部分の断面について説明する。なお、偶数極端子４１Ａが装填されている部分の断面に関して説明した構成、動作及び効果と同様の構成、動作及び効果については、その説明を省略する。
【００３６】
奇数極端子４１Ｂは、概略Ｕ字形状を有し、上腕ビーム４４Ｂ及び下腕ビーム４３が端子受入溝３４内において前方（図９及び１０における左方）に向かって延在している。なお、奇数極端子４１Ｂも、前記偶数極端子４１Ａと同様に、ハウジング３１の後方（図７及び８における右方）から端子受入溝３４内に挿入され、該端子受入溝３４の床面及び天井面を構成する下部３２の上面及び上部３５の下面によって、上下方向から挟まれて固定されている。
【００３７】
ここで、前記上腕ビーム４４Ｂの先端近傍には、下端が直線状のカム受け部４５Ｂが形成されている。そして、アクチュエータ１１が、図１０に示されるような閉位置にある状態になると、前記カム受け部４５Ｂの下端にアクチュエータ１１のカム２６Ｂの直線状の縁が当接して係合するようになっている。なお、奇数番目の端子受入溝３４に対応するアクチュエータ１１の収容溝２１に配設されたカム２６Ｂは、断面が不定形であり、アクチュエータ１１が閉位置にあるときに上方に位置する直線状の縁を備えている。
【００３８】
そして、図９に示されるように、アクチュエータ１１が第１位置としての開位置にある状態において、カム受け部４５Ｂとカム２６Ｂとは非接触となっている。続いて、ＦＰＣがハウジング３１の挿入口３３に挿入され、オペレータが前記アクチュエータ１１を時計回り方向に姿勢変化させ、図１０に示されるような第２位置としての閉位置にある状態とする。これにより、カム２６Ｂの直線状の縁がカム受け部４５Ｂの下端に当接して係合するので、アクチュエータ１１のそれ以上の姿勢の変化を急激に停止させる。そのため、前記オペレータに確かなクリック感を与えることができ、ＦＰＣの配線と偶数極端子４１Ｂとが電気的に接続されたことを前記オペレータに認識させることができる。
【００３９】
その他の点については、偶数極端子４１Ａの場合と同様なので、説明を省略する。
【００４０】
次に、アクチュエータ１１を開位置と閉位置とにおいてロックさせる動作について説明する。
【００４１】
図１１は本発明の実施の形態におけるアクチュエータが第１位置にあるときのＦＰＣ用コネクタの側部の状態を示す前方から観た拡大図、図１２は本発明の実施の形態におけるアクチュエータが第１位置にあるときのＦＰＣ用コネクタの側部断面図であり図１１のＥ−Ｅ矢視断面図、図１３は本発明の実施の形態におけるアクチュエータが第２位置にあるときのＦＰＣ用コネクタの側部断面図、図１４は本発明の実施の形態におけるアクチュエータが第２位置にあるときのＦＰＣ用コネクタの側部の状態を示す後方から観た断面図であり図１３のＦ−Ｆ矢視断面図である。
【００４２】
ここでは、アクチュエータ１１に一体的に形成されている第１係合凸部２３ｂ、第２係合凸部２３ａ及び係合当接部２５と、ハウジング３１に一体的に形成されている第１係合凹部３７ｂ、第２係合凹部３７ａ及び係合当接部３６とによって、アクチュエータ１１を開位置と閉位置とにおいてロックさせる、すなわち、アクチュエータ１１のハウジング３１に対する姿勢を開位置と閉位置とにおいて安定させる動作について説明する。なお、図１〜４に示されているように、前記アクチュエータ１１に一体的に形成されている第３係合凸部２４ａ及び第４係合凸部２４ｂがハウジング３１に取り付けられたネイル５１の係合凹部５２と係合することによっても、アクチュエータ１１のハウジング３１に対する姿勢を開位置と閉位置とにおいて安定させる機能が発揮される。しかし、本実施の形態において、アクチュエータ１１のハウジング３１に対する姿勢を開位置と閉位置とにおいて安定させる機能という観点からは、前記第３係合凸部２４ａ及び第４係合凸部２４ｂと係合突出部５２との相互作用は補助的なものであり、前記第２係合凸部２３ａ、第１係合凸部２３ｂ及び係合当接部２５と係合凸部３７及び係合当接部３６との相互作用が主体的であるので、ここでは、前記第１係合凸部２３ｂ、第２係合凸部２３ａ及び係合当接部２５と第１係合凹部３７ｂ、第２係合凹部３７ａ及び係合当接部３６との相互作用についてのみ説明する。
【００４３】
図１１及び１２に示されるように、アクチュエータ１１が第１位置としての開位置にあるとき、Ｇ１で示される位置において、アクチュエータ１１の係合当接部２５がハウジング３１の係合当接部３６に当接して係合した状態になっている。そのため、前記アクチュエータ１１は、振動等による不測の外力が付与されても、また、オペレータの手指による操作力が付与されても、開位置から図１２における反時計回り方向に姿勢変化することがない。
【００４４】
また、Ｇ２で示される位置において、アクチュエータ１１の第１係合凸部２３ｂがハウジング３１の第１係合凹部３７ｂに当接して係合した状態になっている。そのため、前記アクチュエータ１１は、振動等による不測の外力が付与されても、開位置から図１２における反時計回り方向に姿勢変化することがない。しかし、前記第１係合凸部２３ｂにおいて第１係合凹部３７ｂと当接する下側の側面は傾斜側面となっていて、かつ、前記第１係合凹部３７ｂにおいて第１係合凸部２３ｂと当接する上側の側面は傾斜側面となっているので、オペレータの手指による操作力程度の強い力が付与された場合には、第１係合凸部２３ｂと第１係合凹部３７ｂとの係合が解除される。
【００４５】
このように、開位置にあるとき、アクチュエータ１１のハウジング３１に対する姿勢は、安定しており、振動等による不測の外力が付与されても変化することがない。しかし、オペレータの手指による操作力程度の強い力が付与されると、閉位置に向けて姿勢変化するようになっている。すなわち、アクチュエータ１１は、開位置にあるとき、オペレータによる操作が行われない限り、振動等による不測の外力が付与されても、閉位置への姿勢変化が防止される。
【００４６】
また、図１３及び１４に示されるように、アクチュエータ１１が第２位置としての閉位置にあるとき、Ｇ３で示される位置において、アクチュエータ１１の第２係合凸部２３ａがハウジング３１の第２係合凹部３７ａに当接して係合した状態になっている。そのため、前記アクチュエータ１１は、振動等による不測の外力が付与されても、閉位置から図１３における反時計回り方向に姿勢変化することがない。しかし、前記第２係合凸部２３ａにおいて第２係合凹部３７ａと当接する上側の側面は傾斜側面となっていて、かつ、前記第２係合凹部３７ａにおいて第２係合凸部２３ａと当接する下側の側面は傾斜側面となっているので、オペレータの手指による操作力程度の強い力が付与された場合には、第２係合凸部２３ａと第２係合凹部３７ａとの係合が解除される。
【００４７】
このように、閉位置にあるとき、アクチュエータ１１のハウジング３１に対する姿勢は、安定しており、振動等による不測の外力が付与されても変化することがない。しかし、オペレータの手指による操作力程度の強い力が付与されると、開位置に向けて姿勢変化するようになっている。すなわち、アクチュエータ１１は、ＦＰＣが接続されて閉位置にあるとき、オペレータによる操作が行われない限り、振動等による不測の外力が付与されても、開位置への姿勢変化が防止されるので、ＦＰＣの接続が外れる恐れがない。
【００４８】
次に、ＦＰＣ用コネクタ１０を基板５５に実装する動作について説明する。
【００４９】
図１５は本発明の実施の形態におけるＦＰＣ用コネクタを収容するキャリアテープの断面図である。
【００５０】
本実施の形態におけるＦＰＣ用コネクタ１０は、アクチュエータ１１が第１位置としての開位置にある状態で、基板５５に実装することができるようになっているので、ＦＰＣを接続する際の作業工程を簡素化することができ、ＦＰＣ用コネクタ１０にＦＰＣを接続する作業コストを低減することができる。すなわち、アクチュエータ１１が第２位置としての閉位置にある状態でＦＰＣ用コネクタ１０を基板５５に実装した場合、ＦＰＣを接続する際にアクチュエータ１１を閉位置から開位置にまで姿勢変化させる作業工程が必要となる。これに対し、アクチュエータ１１が開位置にある状態でＦＰＣ用コネクタ１０を基板５５に実装した場合には、ＦＰＣを接続する際にアクチュエータ１１を閉位置から開位置にまで姿勢変化させる作業工程が不要となるので、作業工程を簡素化することができる。
【００５１】
ここで、ＦＰＣ用コネクタ１０は、製造段階において、図１５に示されるようなキャリアテープ５６に収容され、図示されないリールに巻かれて出荷され、ＦＰＣ用コネクタ１０を基板５５に実装するための図示されない実装装置に供給される。この場合、前記キャリアテープ５６は、エンボス形成された複数の収容凹部５７を備え、各収容凹部５７に１個ずつＦＰＣ用コネクタ１０が収容される。なお、前記キャリアテープ５６の上面には収容凹部５７の開口を塞（ふさ）ぐための図示されないトップテープが付着されているが、前記実装装置において、ＦＰＣ用コネクタ１０を収容凹部５７から取り出す際には、前記トップテープは取り外され、収容凹部５７の開口は、図１５に示されるように、開放される。なお、図１５に示される例において、右端の収容凹部５７は、その形状を理解しやすいように、ＦＰＣ用コネクタ１０の図示が省略されている。
【００５２】
そして、ＦＰＣ用コネクタ１０は、アクチュエータ１１が第１位置としての開位置にある状態で収容凹部５７に収容されている。すなわち、図１５に示されるように、側面から見て、ハウジング３１が収容凹部５７の底面と平行な方向に延在し、アクチュエータ１１が前記ハウジング３１に対して直角な方向に延在する。また、実装用吸着エリア１５がＦＰＣ用コネクタ１０の最上位に位置し、水平になっている。
【００５３】
ここで、ＦＰＣ用コネクタ１０を収容凹部５７から取り出すためには、通常の実装装置と同様に、ロボットアーム等の先端に装着された図示されない真空吸着ノズルが使用される。そして、該真空吸着ノズルの先端が実装用吸着エリア１５に当接して吸引が行われることによって、ＦＰＣ用コネクタ１０が真空吸着ノズルに吸着されて収容凹部５７から取り出され、基板５５上の実装位置にまで搬送される。この場合、前記実装用吸着エリア１５の表面は平滑な平板状になっているので、真空吸着ノズルによる吸着が効果的に行われる。
【００５４】
続いて、ＦＰＣ用コネクタ１０は、図１、２、７及び９に示されるように、アクチュエータ１１が開位置にある状態で基板５５上の実装位置に載置される。この場合、ネイル５１の下面が基板５５の面上に形成された接続パッド上に位置し、各端子４１のテール部４２が基板５５の面上に形成された各配線上に位置するように、正確に位置決めされてＦＰＣ用コネクタ１０が載置される。なお、前記接続パッド及び配線の上にはあらかじめペースト状又はクリーム状のはんだが付与されているので、ＦＰＣ用コネクタ１０を載置する際に、真空吸着ノズルによって上方から下向きに押し付けることによって、ある程度の粘着力がはんだに発生し、ＦＰＣ用コネクタ１０が基板５５に仮固定される。なお、仮固定をより確実にする必要がある場合には、基板５５の面上における接続パッド及び配線以外の場所に接着剤を付与しておくこともできる。
【００５５】
また、前述のように、アクチュエータ１１は、開位置にあるときロックされてハウジング３１に対する姿勢が安定している。そのため、ＦＰＣ用コネクタ１０を載置する際に、真空吸着ノズルによって実装用吸着エリア１５を上方から下向きに押し付けても、アクチュエータ１１が姿勢変化してしまうことがなく、ＦＰＣ用コネクタ１０の基板５５に対する仮固定が確実に行われる。
【００５６】
続いて、ＦＰＣ用コネクタ１０が載置された基板５５は、はんだをリフローさせてはんだ付けを行うために、コンベヤ等の搬送装置によって加熱炉内に搬送される。該加熱炉内においては、効率的にはんだを加熱してリフローを行うために、熱風が供給される。しかし、本実施の形態においては、アクチュエータ１１の本体部１３に貫通孔１４が形成されているので、前記熱風を受けても、ＦＰＣ用コネクタ１０の位置がずれてしまうことがない。すなわち、図１、２、７及び９に示されるように、アクチュエータ１１が開位置にあり、基板５５に対して直角な方向に延在しているので、加熱炉内に熱風が横方向に供給された場合、仮に本体部１３に貫通孔１４が形成されていないとすると、アクチュエータ１１の本体部１３が横方向の風をまともに受けることとなる。そして、前記仮固定の力よりも、風の力が強いときには、ＦＰＣ用コネクタ１０が移動し位置がずれてしまう恐れがある。これに対し、本実施の形態のように、前記本体部１３に貫通孔１４が形成されていると、横方向の風が貫通孔１４を通り抜けるので、前記本体部１３が横方向の風をまともに受けることがなく、ＦＰＣ用コネクタ１０の位置がずれてしまうことがない。
【００５７】
そして、加熱炉内においてはんだのリフローが行われると、ネイル５１の下面が基板５５の面上に形成された接続パッドにはんだ付けされ、各端子４１のテール部４２が基板５５の面上に形成された各配線にはんだ付けされる。これにより、ＦＰＣ用コネクタ１０が基板５５に実装される。
【００５８】
このように、本実施の形態において、アクチュエータ１１は、閉位置になったときにハウジング３１の後方端部及びテール部４２を覆い隠すダストカバー部１２を備える。そのため、ハウジング３１の後方から不純物がＦＰＣ用コネクタ１０の内部に進入することがないので、テール部４２と基板５５の配線との電気的接続部や、コンタクト部４３ａとＦＰＣの配線との電気的接続部に不純物が進入することを防止することができ、不純物によって隣接する端子４１同士や配線同士が短絡することがない。
【００５９】
特に、基板５５を垂直な状態に配置して前記ハウジング３１の後方が上を向くようにした場合であっても、前記ダストカバー部１２によって不純物の進入を防止することができる。
【００６０】
また、前記ダストカバー部１２は、凸壁部１６に周囲を囲まれた凹部であるダストプール部１７を備えるので、上方から降りかかってきた不純物は、前記ダストプール部１７内に収容され、拡散してしまうことがない。
【００６１】
さらに、前記ダストカバー部１２は、表面が平滑な平板状の実装用吸着エリア１５を備えるので、ＦＰＣ用コネクタ１０を実装する際に真空吸着ノズルによるＦＰＣ用コネクタ１０の吸着を効果的に行うことができる。
【００６２】
さらに、アクチュエータ１１の本体部１３に貫通孔１４が形成されているので、はんだをリフローさせるための加熱炉内において横方向の風を受けても、ＦＰＣ用コネクタ１０の位置がずれてしまうことがない。
【００６３】
さらに、アクチュエータ１１が開位置にあるとき、アクチュエータ１１の第１係合凸部２３ｂがハウジング３１の第１係合凹部３７ｂに当接して係合した状態となるので、振動等による不測の外力が付与されても、アクチュエータ１１が姿勢変化して閉位置に移行することがない。そのため、アクチュエータ１１が第１位置としての開位置にある状態で、ＦＰＣ用コネクタ１０を基板５５に実装することができるので、ＦＰＣを接続する際の作業工程を簡素化することができ、ＦＰＣ用コネクタ１０にＦＰＣを接続する作業コストを低減することができる。
【００６４】
さらに、アクチュエータ１１が閉位置にあるとき、該アクチュエータ１１の第２係合凸部２３ａがハウジング３１の第２係合凹部３７ａに当接して係合した状態となるので、振動等による不測の外力が付与されても、アクチュエータ１１が姿勢変化して開位置に移行することがない。そのため、振動等による不測の外力が付与されても、ＦＰＣの接続が外れる恐れがない。
【００６５】
なお、本発明は前記実施の形態に限定されるものではなく、本発明の趣旨に基づいて種々変形させることが可能であり、それらを本発明の範囲から排除するものではない。
【図面の簡単な説明】
【００６６】
【図１】本発明の実施の形態におけるＦＰＣ用コネクタを示す第１の斜視図でありアクチュエータが第１位置にあるときの斜め上前方から観た図である。
【図２】本発明の実施の形態におけるＦＰＣ用コネクタを示す第２の斜視図でありアクチュエータが第１位置にあるときの斜め上後方から観た図である。
【図３】本発明の実施の形態におけるＦＰＣ用コネクタを示す第３の斜視図でありアクチュエータが第２位置にあるときの斜め上前方から観た図である。
【図４】本発明の実施の形態におけるＦＰＣ用コネクタを示す第４の斜視図でありアクチュエータが第２位置にあるときの斜め上後方から観た図である。
【図５】本発明の実施の形態におけるＦＰＣ用コネクタのアクチュエータを示す斜視図であり斜め下後方から観た図である。
【図６】本発明の実施の形態におけるＦＰＣ用コネクタのハウジングを示す斜視図であり、斜め上前方から観た図である。
【図７】本発明の実施の形態におけるアクチュエータが第１位置にあるときのＦＰＣ用コネクタの内部を示す第１の断面図であり図１のＡ−Ａ矢視断面図である。
【図８】本発明の実施の形態におけるアクチュエータが第２位置にあるときのＦＰＣ用コネクタの内部を示す第１の断面図であり図３のＣ−Ｃ矢視断面図である。
【図９】本発明の実施の形態におけるアクチュエータが第１位置にあるときのＦＰＣ用コネクタの内部を示す第２の断面図であり図１のＢ−Ｂ矢視断面図である。
【図１０】本発明の実施の形態におけるアクチュエータが第２位置にあるときのＦＰＣ用コネクタの内部を示す第２の断面図であり図３のＤ−Ｄ矢視断面図である。
【図１１】本発明の実施の形態におけるアクチュエータが第１位置にあるときのＦＰＣ用コネクタの側部の状態を示す前方から観た拡大図である。
【図１２】本発明の実施の形態におけるアクチュエータが第１位置にあるときのＦＰＣ用コネクタの側部断面図であり図１１のＥ−Ｅ矢視断面図である。
【図１３】本発明の実施の形態におけるアクチュエータが第２位置にあるときのＦＰＣ用コネクタの側部断面図である。
【図１４】本発明の実施の形態におけるアクチュエータが第２位置にあるときのＦＰＣ用コネクタの側部の状態を示す後方から観た断面図であり図１３のＦ−Ｆ矢視断面図である。
【図１５】本発明の実施の形態におけるＦＰＣ用コネクタを収容するキャリアテープの断面図である。
【符号の説明】
【００６７】
１０    ＦＰＣ用コネクタ
１１    アクチュエータ
１２    ダストカバー部
１３    本体部
１４    貫通孔
１５    実装用吸着エリア
２２    押圧部
２３ａ    第２係合凸部
２３ｂ    第１係合凸部
３１    ハウジング
３３    挿入口
３７ａ    第２係合凹部
３７ｂ    第１係合凹部
４１    端子
４２    テール部
４３    下腕ビーム
【図１】
2006048977.tif 000003
【図２】
2006048977.tif 000004
【図３】
2006048977.tif 000005
【図４】
2006048977.tif 000006
【図５】
2006048977.tif 000007
【図６】
2006048977.tif 000008
【図７】
2006048977.tif 000009
【図８】
2006048977.tif 000010
【図９】
2006048977.tif 000011
【図１０】
2006048977.tif 000012
【図１１】
2006048977.tif 000013
【図１２】
2006048977.tif 000014
【図１３】
2006048977.tif 000015
【図１４】
2006048977.tif 000016
【図１５】
2006048977.tif 000017
【手続補正書】
【提出日】平成16年11月18日(2004.11.18)
【手続補正１】
【補正対象書類名】特許請求の範囲
【補正対象項目名】全文
【補正方法】変更
【補正の内容】
【特許請求の範囲】
【請求項１】
（ａ）ＦＰＣを挿入する挿入口を備えるハウジングと、
（ｂ）該ハウジングに装填され、前記ＦＰＣの配線と電気的に接続するコンタクト片、及び、前記挿入口と反対側に突出するテール部を備える端子と、
（ｃ）ＦＰＣを挿入可能な第１位置と挿入されたＦＰＣを前記コンタクト片に押し付ける第２位置との間を姿勢変化可能なアクチュエータであって、前記第２位置において前記ＦＰＣを前記コンタクト片に押し付ける押圧部、前記第１位置において前記ＦＰＣの挿入方向とほぼ直角となり、前記第２位置において前記ＦＰＣの挿入方向とほぼ平行となる本体部、並びに、前記第２位置において前記ハウジングの前記挿入口と反対側の端部及び前記テール部を覆い隠すダストカバー部を備えるアクチュエータとを有することを特徴とするＦＰＣ用コネクタ。
【請求項２】
前記ダストカバー部は、前記第１位置において前記ＦＰＣの挿入方向とほぼ平行になる表面が平滑な平板状の実装用吸着エリアを備える請求項１に記載のＦＰＣ用コネクタ。
【請求項３】
前記本体部は、前記第１位置において前記ＦＰＣの挿入方向とほぼ平行な方向に貫通する貫通孔を備える請求項１又は２に記載のＦＰＣ用コネクタ。
【請求項４】
前記ハウジングは両側部に形成された第１係合凹部を備え、前記本体部は両側部の内壁面に形成された第１係合凸部を備え、前記アクチュエータが第１位置にあるときに前記第１係合凹部と第１係合凸部とが係合し、前記アクチュエータの第２位置への姿勢変化が防止される請求項１〜３のいずれか１項に記載のＦＰＣ用コネクタ。
【請求項５】
前記ハウジングは両側部に形成された第２係合凹部を備え、前記本体部は両側部の内壁面に形成された第２係合凸部を備え、前記アクチュエータが第２位置にあるときに前記第２係合凹部と第２係合凸部とが係合し、前記アクチュエータの第１位置への姿勢変化が防止される請求項１〜３のいずれか１項に記載のＦＰＣ用コネクタ。
【手続補正２】
【補正対象書類名】明細書
【補正対象項目名】０００８
【補正方法】変更
【補正の内容】
【０００８】
そのために、本発明のＦＰＣ用コネクタにおいては、ＦＰＣを挿入する挿入口を備えるハウジングと、該ハウジングに装填され、前記ＦＰＣの配線と電気的に接続するコンタクト片、及び、前記挿入口と反対側に突出するテール部を備える端子と、ＦＰＣを挿入可能な第１位置と挿入されたＦＰＣを前記コンタクト片に押し付ける第２位置との間を姿勢変化可能なアクチュエータであって、前記第２位置において前記ＦＰＣを前記コンタクト片に押し付ける押圧部、前記第１位置において前記ＦＰＣの挿入方向とほぼ直角となり、前記第２位置において前記ＦＰＣの挿入方向とほぼ平行となる本体部、並びに、前記第２位置において前記ハウジングの前記挿入口と反対側の端部及び前記テール部を覆い隠すダストカバー部を備えるアクチュエータとを有する。
【手続補正３】
【補正対象書類名】明細書
【補正対象項目名】００３６
【補正方法】変更
【補正の内容】
【００３６】
奇数極端子４１Ｂは、概略Ｕ字形状を有し、上腕ビーム４４Ｂ及び下腕ビーム４３が端子受入溝３４内において前方（図９及び１０における左方）に向かって延在している。なお、奇数極端子４１Ｂも、前記偶数極端子４１Ａと同様に、ハウジング３１の後方（図９及び１０における右方）から端子受入溝３４内に挿入され、該端子受入溝３４の床面及び天井面を構成する下部３２の上面及び上部３５の下面によって、上下方向から挟まれて固定されている。
【手続補正４】
【補正対象書類名】明細書
【補正対象項目名】００３８
【補正方法】変更
【補正の内容】
【００３８】
そして、図９に示されるように、アクチュエータ１１が第１位置としての開位置にある状態において、カム受け部４５Ｂとカム２６Ｂとは非接触となっている。続いて、ＦＰＣがハウジング３１の挿入口３３に挿入され、オペレータが前記アクチュエータ１１を時計回り方向に姿勢変化させ、図１０に示されるような第２位置としての閉位置にある状態とする。これにより、カム２６Ｂの直線状の縁がカム受け部４５Ｂの下端に当接して係合するので、アクチュエータ１１のそれ以上の姿勢の変化を急激に停止させる。そのため、前記オペレータに確かなクリック感を与えることができ、ＦＰＣの配線と端子４１とが電気的に接続されたことを前記オペレータに認識させることができる。
【手続補正５】
【補正対象書類名】明細書
【補正対象項目名】００４２
【補正方法】変更
【補正の内容】
【００４２】
ここでは、アクチュエータ１１に一体的に形成されている第１係合凸部２３ｂ、第２係合凸部２３ａ及び係合当接部２５と、ハウジング３１に一体的に形成されている第１係合凹部３７ｂ、第２係合凹部３７ａ及び係合当接部３６とによって、アクチュエータ１１を開位置と閉位置とにおいてロックさせる、すなわち、アクチュエータ１１のハウジング３１に対する姿勢を開位置と閉位置とにおいて安定させる動作について説明する。なお、図１〜４に示されているように、前記アクチュエータ１１に一体的に形成されている第３係合凸部２４ａ及び第４係合凸部２４ｂがハウジング３１に取り付けられたネイル５１の係合突出部５２と係合することによっても、アクチュエータ１１のハウジング３１に対する姿勢を開位置と閉位置とにおいて安定させる機能が発揮される。しかし、本実施の形態において、アクチュエータ１１のハウジング３１に対する姿勢を開位置と閉位置とにおいて安定させる機能という観点からは、前記第３係合凸部２４ａ及び第４係合凸部２４ｂと係合突出部５２との相互作用は補助的なものであり、前記第２係合凸部２３ａ、第１係合凸部２３ｂ及び係合当接部２５と係合凸部３７及び係合当接部３６との相互作用が主体的であるので、ここでは、前記第１係合凸部２３ｂ、第２係合凸部２３ａ及び係合当接部２５と第１係合凹部３７ｂ、第２係合凹部３７ａ及び係合当接部３６との相互作用についてのみ説明する。
【手続補正６】
【補正対象書類名】明細書
【補正対象項目名】００４４
【補正方法】変更
【補正の内容】
【００４４】
また、Ｇ２で示される位置において、アクチュエータ１１の第１係合凸部２３ｂがハウジング３１の第１係合凹部３７ｂに当接して係合した状態になっている。そのため、前記アクチュエータ１１は、振動等による不測の外力が付与されても、開位置から図１２における時計回り方向に姿勢変化することがない。しかし、前記第１係合凸部２３ｂにおいて第１係合凹部３７ｂと当接する下側の側面は傾斜側面となっていて、かつ、前記第１係合凹部３７ｂにおいて第１係合凸部２３ｂと当接する上側の側面は傾斜側面となっているので、オペレータの手指による操作力程度の強い力が付与された場合には、第１係合凸部２３ｂと第１係合凹部３７ｂとの係合が解除される。